(57)【要約】【課題】幼児や認知症患者等においても、間違えることなく、簡単に折り紙作品を制作することができる折り紙用紙を提供する。【解決手段】特定の作品を制作するために必要な複数の折り線２、及び、複数の折り順マーク４が、表側面１ａ及び裏側面１ｂの適切な位置にそれぞれ表示され、折り順マーク４は、対応する折り線２の近傍に表示され、各折り線２の折り順を示す数字と、その折り線２による折り工程を実行する際にセットすべき、制作者を基準とする折り紙用紙１の向きを指定する記号とによって構成され、作品の完成までに要する複数の工程のうち、折り曲げ片６をいずれか一方側へ一回折り曲げることにより完了させることができる工程において折り曲げ片６を規定する折り線２のすべてを、表側面１ａ及び裏側面１ｂのうち、谷折り側となる面に表示したことを特徴としている。【選択図】図１
2012061015.tif 000002
【特許請求の範囲】
【請求項１】
特定の作品を制作するために必要な複数の折り線、及び、複数の折り順マークが、表側面及び裏側面の適切な位置にそれぞれ表示された折り紙用紙であって、
前記折り順マークは、対応する折り線の近傍に表示され、各折り線の折り順を示す数字、文字、又は、記号と、その折り線による折り工程を実行する際にセットすべき、制作者を基準とする折り紙用紙の向きを指定する記号とによって構成され、
作品の完成までに要する複数の工程のうち、折り曲げ片をいずれか一方側へ一回折り曲げることにより完了させることができる工程において前記折り曲げ片を規定する折り線のすべてを、前記表側面及び裏側面のうち、谷折り側となる面に表示したことを特徴とする折り紙用紙。
【請求項２】
前記表側面、及び／又は、裏画面に、前記折り線に沿って折り紙用紙の一部を折り曲げる際にその折り曲げ片の縁を重ね合わせるべき位置にガイド線を表示したことを特徴とする、請求項１に記載の折り紙用紙。
【請求項３】
前記複数の折り順マークのうち、折り紙用紙を裏返す工程において参照されるべき折り順マークの近傍に、裏返し指示サインを表示したことを特徴とする、請求項２に記載の折り紙用紙。
【請求項４】
前記複数の折り順マークのうち、特別な折り方を行うことが必要な工程において参照されるべき折り順マークの近傍に、特別な折り方のサインを表示したことを特徴とする、請求項３に記載の折り紙用紙。
【発明の詳細な説明】
【技術分野】
【０００１】
本発明は、表側面及び裏側面に折り線及び折り順を表示することにより、既定の作品を簡単に制作することができるようにした折り紙用紙に関する。
【背景技術】
【０００２】
従来より、誰でも簡単に折り紙作品を制作できるように、予め表面に折り線及び折り順を表示した折り紙用紙が知られている。
【先行技術文献】
【特許文献】
【０００３】
【特許文献１】特開平２００８−１１００６９号公報
【特許文献２】実用新案登録第３０８５０３５号公報
【発明の概要】
【発明が解決しようとする課題】
【０００４】
しかしながら、折り線及び折り順を表示した従来の折り紙用紙は、折り順通りに折り進んでいくことが難しいという問題がある。その大きな要因としては、折り線にはいわゆる「山折り線」と「谷折り線」の二種類があり、これらが一枚の紙の上で密に混在していること、また、折り線及び折り順が、折り紙用紙の一方の面にのみ表示されていること、などが考えられる。
【０００５】
この点について具体的に説明すると、例えば、図１０（１）に示すように、折り紙用紙１を縦方向に二分する折り線２が表示されている場合において、この折り線２に沿って「山折り」を実行すると、図１０（２）に示すように、折り紙用紙１の左半分の面（Ａ面）が上側になる場合と、図１０（３）に示すように、右半分の面（Ｂ面）が上側になる場合とがある。
【０００６】
そして、この工程を実施した結果、上側となる面（例えば、図１０（２）に示すＡ面、或いは、図１０（３）に示すＢ面）に、次の折り工程において折るべき折り線（及び折り順）が表示されている場合には問題はないが、下側となる面に表示されている場合には、制作者は、折り紙用紙１を裏返して次の折り線を探さなければならない。折り紙用紙１の表面上に表示されている折り線の数が極めて少ない場合には、比較的簡単に次の折り線を探し出すことができるが、多数の折り線が密に表示されている場合には、次の折り線をなかなか見つけることができず、制作に手間取ってしまうことになる。
【０００７】
また、図１０（１）に示す折り線２に沿って「谷折り」を実行すると、次の折り線（及び折り順）が、折り畳まれた内側の面に表示される結果となって、次の折り線をなかなか見つけることができない、というような事態も生じかねない。これらの問題は、通常の認知能力を有している者であれば、途中の工程で多少手間取ることがあったとしても、最終的には解決することができる可能性が高いが、例えば、未だ折り紙の基本的な折り方を知らない幼児や認知症患者等を対象とする教材として使用する場合、それらの問題が障壁となって、作品を完成させることができない可能性がある。
【０００８】
本発明は、上記のような問題を解決すべくなされたものであって、幼児や認知症患者等においても、間違えることなく、簡単に折り紙作品を制作することができる折り紙用紙を提供することを目的とする。
【課題を解決するための手段】
【０００９】
本発明に係る折り紙用紙は、特定の作品を制作するために必要な複数の折り線、及び、複数の折り順マークが、表側面及び裏側面の適切な位置にそれぞれ表示され、折り順マークは、対応する折り線の近傍に表示され、各折り線の折り順を示す数字、文字、又は、記号と、その折り線による折り工程を実行する際にセットすべき、制作者を基準とする折り紙用紙の向きを指定する記号とによって構成され、作品の完成までに要する複数の工程のうち、折り曲げ片をいずれか一方側へ一回折り曲げることにより完了させることができる工程において折り曲げ片を規定する折り線のすべてを、表側面及び裏側面のうち、谷折り側となる面に表示したことを特徴としている。
【００１０】
尚、折り紙用紙の表側面、及び／又は、裏画面には、折り線等のほかに、ガイド線（折り線に沿って折り紙用紙の一部を折り曲げる際、その折り曲げ片の縁を重ね合わせるべき位置を示す線）を表示することが好ましく、また、複数の折り順マークのうち、折り紙用紙を裏返す工程において参照されるべき折り順マークの近傍に、裏返し指示サインを表示することが好ましい。更に、単純な谷折り（或いは単純な山折り）以外の特別な折り方を行うことが必要な工程において参照されるべき折り順マークの近傍に、特別な折り方のサイン（その特別な折り方を実行すべきことを示すサイン）を表示することが好ましい。
【発明の効果】
【００１１】
本発明に係る折り紙用紙によれば、作品の完成までに要する複数の工程を一定のルールに従って順番に実行することにより、その作品の折り方を知らない者であっても、折り方を示す解説書等を参照することなく、各工程における折り紙用紙の上側の面を参照するだけで、極めて簡単に制作することができ、幼児などの初心者を対象とする折り紙入門用の知育教材、認知症患者を対象とするリハビリ用の資材、或いは、介護施設（養護老人ホーム等）におけるレクリエーション用の資材等として好適に利用することができる。
【図面の簡単な説明】
【００１２】
【図１】図１は、本発明に係る（第１の実施形態）の折り紙用紙１の表側面及び裏側面の平面図である。
【図２】図２は、図１の折り紙用紙１を用いて作品を制作する方法の第１工程の説明図である。
【図３】図３は、図１の折り紙用紙１を用いて作品を制作する方法の第２工程の説明図である。
【図４】図４は、図１の折り紙用紙１を用いて作品を制作する方法の第３工程の説明図である。
【図５】図５は、図１の折り紙用紙１を用いて作品を制作する方法の第４工程の説明図である。
【図６】図６は、図１の折り紙用紙１を用いて作品を制作する方法の第５工程の説明図である。
【図７】図７は、図１の折り紙用紙１を用いて作品を制作する方法の第６工程の説明図である。
【図８】図８は、図１の折り紙用紙１を用いて作品を制作する方法の第７工程、及び、第８工程の説明図である。
【図９】図９は、図１の折り紙用紙１を用いて作品を制作する方法の第９工程の説明図である。
【図１０】図１０は、従来の折り紙用紙１において、折り線２に沿って山折りを実行した場合において生じる問題点の説明図である。
【発明を実施するための形態】
【００１３】
以下、添付図面に沿って本発明「折り紙用紙」の実施形態について説明する。図１（１）は、本発明に係る折り紙用紙１（第１の実施形態）の表側面１ａの平面図であり、図１（２）は、裏側面１ｂの平面図である。図示されているようにこの折り紙用紙１においては、折り線２（実線）、ガイド線３（破線）、及び、折り順マーク４が、表側面１ａ、及び、裏側面１ｂの両面に表示されている。また、この折り紙用紙１の表側面１ａには、裏返し指示サイン５が表示されている。
【００１４】
折り線２は、この折り紙用紙１において、作品（折り紙）を制作する際に折り目を形成すべき位置に表示された線である。尚、従来の折り紙用紙においては、いわゆる「山折り線」と「谷折り線」とが表示されていることが多いが、本実施形態においては、折り線２として「谷折り線」のみが表示されている。つまり、本実施形態の折り紙用紙１には、「谷折りを行う折り線」のみが表示されている。
【００１５】
ガイド線３は、折り線２に沿って折り紙用紙１の一部を折り曲げる際に、その折り曲げ片の縁を重ね合わせるべき位置に表示された線である。また、折り順マーク４は、各折り線２の近傍にそれぞれ一つずつ表示され、各折り線２の折り順を示す数字（或いは、文字、又は、記号）と、折り紙用紙１の向き（その折り線２による折り工程を実行する際にセットすべき、制作者を基準とする折り紙用紙１の向き）を示す記号とによって構成されている。
【００１６】
尚、本実施形態においては、折り紙用紙１の向きを示す記号として、下辺を他の二つの辺（頂点を挟む二つの辺）よりも太い線で表示した白抜き三角図形を用いているが、この記号が表示されている折り線２による折り工程を実行する際にセットすべき折り紙用紙１の向き（制作者を基準とする向き）を、制作者に対して的確に示すことができるものであれば、どのような記号（例えば、台形図形、矢印等）を用いてもよい。
【００１７】
この折り紙用紙１は、表側面１ａ、及び、裏側面１ｂにそれぞれ表示されている折り順マーク４に従って、折り紙用紙１を適正な向きにセットするとともに、折り線２に沿った「折り工程」を順番に実行していくこと等により、既定の折り紙作品を極めて簡単に（その折り紙作品の折り方を知らない者であっても、折り方を示す解説書等を参照することなく）制作することができる。
【００１８】
ここで、図１の折り紙用紙１を用いて作品（イカ型紙飛行機）を制作する方法（手順）について説明する。
【００１９】
（第１工程）
まず最初に、この折り紙用紙１に示されている折り順マーク４のうち、数字の「１」が表示されている折り順マーク４（第１折り順マーク４１、図２（１）参照）を探し、この第１折り順マーク４１の三角形の記号に基づいて、折り紙用紙１を適正な向きにセットする。より詳細には、図２（１）に示すように、第１折り順マーク４１の三角形の下辺４ａ（太い線）が手前側（制作者から見て手前側）となり、頂点４ｂが奥側（制作者から見て下辺４ａよりも向こう側）となるような向きに折り紙用紙１をセットする。
【００２０】
そして、第１折り順マーク４１の頂点４ｂの近傍に表示されている第１折り線２１を谷折りする。具体的には、第１折り線２１の手前側（図２（１）において下側）の部分を、図２（２）に示すように持ち上げて、第１折り線２１を境界として反対側へ折り返し（折り曲げ片６）、図２（３）に示すように反対側部分の上に重ね合わせる。このとき、折り曲げ片６の縁６ａが、ガイド線３と一致するように重ねることにより、簡単に位置合わせを行うことができ、第１折り線２１上において正確に折り目をつけることができる。また、定規、下敷き、或いは、ヘラ等の補助具を使用し、それらの縁が折り線２（第１折り線２１等）に沿うように載置して、折り曲げ片６を折り曲げるようにしてもよい。
【００２１】
（第２工程）
次に、第１工程が完了した折り紙用紙１の上側の面（図２（３）に示す状態の折り紙用紙１の上画の面）において、数字の「２」が表示されている折り順マーク４（第２折り順マーク４２）を探し、この第２折り順マーク４２の三角形の記号に基づいて、折り紙用紙１を適正な向きにセットする（図３（１）参照）。
【００２２】
そして、第２折り順マーク４２の頂点の近傍に表示されている第２折り線２２を谷折りする。具体的には、第２折り線２２の手前側（図３（１）において下側）の部分を、図３（２）に示すように持ち上げて、第２折り線２２を境界として反対側へ折り返し（折り曲げ片６）、図３（３）に示すように反対側部分の上に重ね合わせる。このとき、折り曲げ片６の縁６ａが、ガイド線３と一致するように重ねる。
【００２３】
（第３工程）
次に、第２工程が完了した折り紙用紙１の上側の面（図３（３）に示す状態の折り紙用紙１の上側の面）において、数字の「３」が表示されている折り順マーク４（第３折り順マーク４３）を探し、この第３折り順マーク４３の三角形の記号に基づいて、折り紙用紙１を適正な向きにセットする（図４（１）参照）。
【００２４】
そして、第３折り順マーク４３の頂点の近傍に表示されている第３折り線２３を谷折りする。具体的には、第３折り線２３の手前側（図４（１）において下側）の部分を、図４（２）に示すように持ち上げて、第３折り線２３を境界として反対側へ折り返し（折り曲げ片６）、図４（３）に示すように反対側部分の上に重ね合わせる。このとき、折り曲げ片６の縁６ａが、ガイド線３と一致するように重ねる。
【００２５】
（第４工程）
次に、第３工程が完了した折り紙用紙１の上側の面（図４（３）に示す状態の折り紙用紙１の上側の面）において、数字の「４」が表示されている折り順マーク４（第４折り順マーク４４）を探し、この第４折り順マーク４４の三角形の記号に基づいて、折り紙用紙１を適正な向きにセットする（図５（１）参照）。
【００２６】
そして、第４折り順マーク４４の頂点の近傍に表示されている第４折り線２４を谷折りする。具体的には、第４折り線２４の手前側（図５（１）において下側）の部分を、図５（２）に示すように持ち上げて、第４折り線２４を境界として反対側へ折り返し（折り曲げ片６）、図５（３）に示すように反対側部分の上に重ね合わせる。このとき、折り曲げ片６の縁６ａが、ガイド線３と一致するように重ねる。
【００２７】
（第５工程）
次に、第４工程が完了した折り紙用紙１の上側の面（図５（３）に示す状態の折り紙用紙１の上側の面）において、数字の「５」が表示されている折り順マーク４（第５折り順マーク４５）を探し、この第５折り順マーク４５の三角形の記号に基づいて、折り紙用紙１を適正な向きにセットする（図６（１）参照）。
【００２８】
そして、第５折り順マーク４５の頂点の近傍に表示されている第５折り線２５を谷折りする。具体的には、第５折り線２５の手前側（図６（１）において下側）の部分を、図６（２）に示すように持ち上げて、第５折り線２５を境界として反対側へ折り返し（折り曲げ片６）、図６（３）に示すように反対側部分の上に重ね合わせる。
【００２９】
（第６工程）
次に、第５工程が完了した折り紙用紙１の上側の面（図６（３）に示す状態の折り紙用紙１の上側の面）において、数字の「６」が表示されている折り順マーク４（第６折り順マーク４６）を探し、この第６折り順マーク４６の三角形の記号に基づいて、折り紙用紙１を適正な向きにセットする（図７（１）参照）。
【００３０】
そして、第６折り順マーク４６の頂点の近傍に表示されている第６折り線２６を谷折りする。具体的には、第６折り線２６の手前側（図７（１）において下側）の部分を持ち上げて、第６折り線２６を境界として反対側へ折り返し、図７（２）に示すように反対側部分の上に重ね合わせる。
【００３１】
（第７工程）
次に、第６工程が完了した折り紙用紙１の上側の面（図７（２）に示す状態の折り紙用紙１の上側の面）において、数字の「７」が表示されている折り順マーク４（第７折り順マーク４７）を探し、この第７折り順マーク４７の三角形の記号に基づいて、折り紙用紙１を適正な向きにセットする（図８（１）参照）。
【００３２】
そして、第７折り順マーク４７の頂点の近傍に表示されている第７折り線２７を谷折りする。具体的には、第７折り線２７の手前側（図８（１）において下側）の部分を持ち上げて、第７折り線２７を境界として反対側へ折り返し、図８（２）に示すように反対側部分の上に重ね合わせる。
【００３３】
（第８工程）
次に、第７工程が完了した折り紙用紙１の上側の面（図８（２）に示す状態の折り紙用紙１の上側の面）において、数字の「８」が表示されている折り順マーク４（第８折り順マーク４８）を探す。
【００３４】
図８（２）に示すように、第８折り順マーク４８の頂点の近傍には、折り線２は表示されておらず、裏返し指示サイン５が表示されている。このような場合には、折り工程は実施せず、裏返し指示サイン５に従い、折り紙用紙１の全体を裏返す。尚、本実施形態においては、裏返し指示サイン５は、「ひっくり返す」という文字列によって構成されているが、他の文字列、或いは、記号によって構成することもできる。
【００３５】
（第９工程）
第８工程が完了した折り紙用紙１の上側の面（図８（２）に示す状態から、全体を裏返した状態の折り紙用紙１の上側の面）において、数字の「９」が表示されている折り順マーク４（第９折り順マーク４９）を探し、この第９折り順マーク４９の三角形の記号に基づいて、折り紙用紙１を適正な向きにセットする（図９（１）参照）。
【００３６】
そして、第９折り順マーク４９の頂点の近傍に表示されている第８折り線２８を谷折りする。具体的には、第８折り線２８の手前側（図９（１）において下側）の部分を持ち上げて、第８折り線２８を境界として反対側へ折り返し、図９（２）に示すように反対側部分の上に重ね合わせると、作品（イカ型紙飛行機）が完成する。
【００３７】
本実施形態に係る折り紙用紙１を用いれば、以上に説明した第１工程から第９工程までを、一定のルールに従って順番に実行することにより、その作品の折り方を知らない者であっても、折り方を示す解説書等を参照することなく、極めて簡単に制作することができる。
【００３８】
尚、ここに言う「一定のルール」とは、次の通りである。
Ａ：作品の完成までに実行すべき複数の工程（第１〜ｎ工程）を、順番通りに実行すること
Ｂ：各工程を実行するときは、その工程の順番と同じ数字が付された折り順マーク４に従うこと
Ｃ：折り順マーク４の頂点の近傍に折り線２が表示されている場合には、その折り順マーク４に従って工程を実施する際、まず、折り紙用紙１を適性な向きにセットすること
Ｄ：折り紙用紙１を適正な向きにセットしたら、折り順マーク４の頂点の近傍に表示されている折り線２の手前側の部分を持ち上げて、当該折り線２を境界として反対側へ折り返し、反対側部分の上に重ね合わせること
Ｅ：折り順マーク４の頂点の近傍に折り線２が表示されておらず、裏返し指示サイン５、或いは、その他のサイン（特別な折り方のサイン）が付されている場合には、当該表示の指示に従ってアクションを実行すること
【００３９】
本実施形態の折り紙用紙１は、上記Ａ〜Ｅのルールに従ってすべての工程が実行されることを前提として、一つの工程を実行した直後において折り紙用紙１の上側となる面に、次の工程の折り順マーク４が必ず表示されるように構成するとともに、当該折り順マーク４の近傍に、折り線２、又は、裏返し指示サイン５のいずれかが必ず表示されるように構成されている。
【００４０】
従って、一つの工程を実行した後に、次の工程の折り順マーク４を簡単に見つけることができ、次の工程を迷うことなく円滑に実行することができ、その結果、制作者においてその作品の折り方を知らない場合であっても、簡単に制作することができる。
【００４１】
尚、一つの工程を実行した直後において折り紙用紙１の上側となる面に、次の工程の折り順マーク４が必ず表示されるように構成するためには、折り工程が実行される際に、折り紙用紙１のうち、折り線２のいずれの側の部分が折り曲げられるべきであるか（どちらの部分を折り曲げ片６とし、どちらの分を固定側とするのか）、また、どちらの方向へ重ね合わせるべきであるか（折り曲げ片６を反対側の部分の上側に重ねるのか、下側に重ねるのか）を、制作者に対して明確に理解させることが必要であり、そのためには、折り工程が実行される際に、制作者を基準とする折り紙用紙１の向きを指定することと、折り線２に対する折り方を基本的に「谷折り」に統一することが有効である。
【００４２】
尚、ここに言う「基本的に谷折りに統一する」とは、折り曲げ片６を一回折るだけでは、一つの折り工程を完了させることができないような特別な場合（例えば、中割折りや、つまみ折りなどのように、複数本の隣接する折り線２を同時に又は連続して折り曲げる必要があり、かつ、隣接する折り線２の折り曲げ方向が反対方向となるような折り方が必要な場合）を除き、つまり、一本の折り線２によって規定される折り曲げ片６を、いずれか一方側へ一回折り曲げることにより一つの折り工程を完了させることができる場合において、折り紙用紙１の二つの面のうち、山折り側となる面に折り線２を表示するのではなく、谷折り側となる面にすべての折り線２を表示する、という意味である。
【００４３】
中割折りや、つまみ折りなどのように、複数本の隣接する折り線２を同時に又は連続して折り曲げる必要があり、かつ、隣接する折り線２の折り曲げ方向が反対方向となるような特別な折り方が必要な場合には、その工程が実行される際に参照されるべき折り順マーク４の近傍に、その折り方を示す特別なサイン（折り方の名称、折り線（山折り線、及び、谷折り線）、簡単な図説等）（特別な折り方のサイン）を表示することが好ましい。
【符号の説明】
【００４４】
１：折り紙用紙、
１ａ：表側面、
１ｂ：裏側面、
２：折り線、
２１：第１折り線、
２２：第２折り線、
２３：第３折り線、
２４：第４折り線、
２５：第５折り線、
２６：第６折り線、
２７：第７折り線、
２８：第８折り線、
３：ガイド線、
４：折り順マーク、
４１：第１折り順マーク、
４２：第２折り順マーク、
４３：第３折り順マーク、
４４：第４折り順マーク、
４５：第５折り順マーク、
４６：第６折り順マーク、
４７：第７折り順マーク、
４８：第８折り順マーク、
４９：第９折り順マーク、
４ａ：下辺、
４ｂ：頂点、
５：裏返し指示サイン、
６：折り曲げ片、
６ａ：縁、
【図１】
2012061015.tif 000003
【図２】
2012061015.tif 000004
【図３】
2012061015.tif 000005
【図４】
2012061015.tif 000006
【図５】
2012061015.tif 000007
【図６】
2012061015.tif 000008
【図７】
2012061015.tif 000009
【図８】
2012061015.tif 000010
【図９】
2012061015.tif 000011
【図１０】
2012061015.tif 000012